(57)【要約】【課題】圧電着火式のライターにおいて、圧電着火と同時にライター自体から所定のメロディを鳴らすことを可能にする。【解決手段】ガス燃料槽２内のガスを気化して放出するガス放出ノズル４と、該ガス放出ノズル４の近傍に設けた電極５との間に火花放電を起す圧電着火装置３とを備えたライター１を構成する。該ライター１には発音素子１１、発音電力供給用電池１２、電波受信アンテナ１３ａ付きの誘導スイッチ１３それぞれからなる奏鳴回路部１０を設け、前記誘導スイッチ１３は、圧電着火装置３による電極５間の火花放電で発生した電波を電波受信アンテナ１３ａで受信して奏鳴回路部１０を閉回路とすることで発音素子１１を作動できるようにする。また、奏鳴回路部１０には、前記誘導スイッチ１３に加えて当該回路自体を独自に開成または閉成するＯＮ／ＯＦＦ切替スイッチ１４を備える。【選択図】図１
2010164304.tif 000002
【特許請求の範囲】
【請求項１】
ガス燃料槽内のガスを気化して放出するガス放出ノズルと、該ガス放出ノズルの近傍に設けた電極との間に火花放電を起す圧電着火装置とを備えたライターにおいて、該ライターには発音素子、発音電力供給用電池、電波受信アンテナ付きの誘導スイッチそれぞれからなる奏鳴回路部を備え、前記誘導スイッチは、圧電着火装置による電極間の火花放電で発生した電波を電波受信アンテナで受信させて奏鳴回路部を閉回路とすることで発音素子を作動させるものとしたことを特徴としたライター。
【請求項２】
奏鳴回路部には、前記誘導スイッチに加えて当該回路自体を独自に開成または閉成させるＯＮ／ＯＦＦ切替スイッチを含む請求項１記載のライター。
【発明の詳細な説明】
【技術分野】
【０００１】
本発明は、圧電着火と同時に所定のメロディを鳴らすことを可能とした使い捨て可能なライターに関する。
【背景技術】
【０００２】
従来から、圧電着火を応用した使い捨て用のライターとしては数多くの技術が提供されている。具体的にはこの圧電着火ライターは、圧電ユニットを作動する着火用の操作ボタンを押し下げることにより、この操作ボタンと関連形成した導電性のレバー部が支軸を中心に回動し、そのレバー部に係止させたガス放出ノズルを引き上げて、気化ガスを放出させる。それと共に、これと同時に操作ボタンは圧電ユニットの圧電素子を打撃して電気的エネルギーを発生させて、前記導電性のレバー部に係止するガス放出ノズルと、補強体を外装した通電線の一方電極との間に放電火花を発生させて、この火花により放出ガスに着火させる。また、前記操作ボタンから手指を離すことにより、前記レバー部が元の位置に戻ってガス放出ノズルは下がり、ガスの放出が停止されて火は消えるように構成されたものである。
【０００３】
この他、特許文献１に開示されているように、液化ガスタンクの上部ガス噴出口に嵌着した開閉弁を操作するレバーの後端位置に当接する押圧片を備えた作動部材を圧電素子の加圧位置に配置し、この作動部材を押圧する加圧片と指先で操作する操作ギザ車とをケース本体に軸支した回転軸に固定するとともに前記ガス噴出口の炎筒の上端開口部を閉成する蓋をこの回転軸に固着し、前記圧電素子に通電線を接続し、この通電線の他端を前記ガス噴出口近傍に配置した電極に接続してなり、操作ギザ車を指先で回転するとこの操作ギザ車の軸に固定した加圧片によって前記作動部材が弾力に抗して押下げられ、前記圧電素子を瞬時に押圧して電流を通電線に伝達して電極より放電させ、前記作動部材の押圧片の下降で押し下げられたレバーによって開閉弁が開放され、前記液化ガスタンクの前記ガス噴出口から放出したガスに着火すると同時に炎筒の開口部は操作ギザ車の回動に伴って蓋が開放されるものとした圧電着火ライターなる技術が存在する。
【０００４】
また、特許文献２に開示されているように、液化石油ガス等を収容する燃料タンクを備えるライター本体と、液化石油ガスを気化し、これを放出し得る構成のガス放出ノズルと、圧電素子を打撃して前記ガス放出ノズルとこれの近傍に設けた電極との間に火花放電を起こす電気的エネルギー発生用の圧電ユニットと、該圧電ユニットの一方の極と電気的に接続したノズル操作レバーと、一端を圧電ユニットの他方の極に接続し、他端をノズル近傍に配置してノズルとの間に放電火花を発生させる導電性部材とより構成する圧電着火ライターにおいて、前記導電性部材の少なくとも両端部以外を非導電性の部材にて被覆し得るよう套設した圧電着火ライターなる技術が存在する。
【０００５】
さらに、特許文献３に開示されているように、液化石油ガスを収容する燃料タンクを備えるライター本体と、液化石油ガスを気化して放出し得る構成のガス放出ノズルと、ガスの放出を制御するレバーと、圧電素子を打撃して前記ガス放出ノズルとこれの近傍に設けた電極との間に火花放電を起こす電気エネルギー発生用の圧電ユニットとより構成する圧電着火ライターにおいて、前記圧電ユニットを作動させる操作ボタンを所望の抵抗値を有する導電性樹脂にて形成し、且つこの操作ボタンにはガス放出制御用のレバー部を一体的に突設し、該レバー部の一方をガス放出ノズルへ係止させて操作ボタンの押圧時に、圧電ユニットの一方の電極とノズルとの間を操作ボタンを介して通電させると共に、前記レバー部によりガス放出ノズルを引き上げてガスの放出を可能とした圧電着火ライターなる技術が存在する。
【先行技術文献】
【特許文献】
【０００６】
【特許文献１】特開２００２−２７６９４０号公報
【特許文献２】特開平６−２４９４３８号公報
【特許文献３】特開平６−２４９４３７号公報
【発明の概要】
【発明が解決しようとする課題】
【０００７】
しかしながら、上述したような従来技術においては、圧電着火を応用した使い捨て可能なライターに対し、圧電着火と同時にメロディを鳴らすことを可能とした技術は未だ存在していなかった。
【０００８】
そこで、本発明は叙上のような従来存した諸事情に鑑み創案されたもので、圧電着火と同時にメロディを鳴らすことを可能にすることで、利用者に対し興味を惹かせることができるようにしたライターを提供することを目的とする。
【課題を解決するための手段】
【０００９】
上述した課題を解決するため、本発明にあっては、ガス燃料槽２内のガスを気化して放出するガス放出ノズル４と、該ガス放出ノズル４の近傍に設けた電極５との間に火花放電を起す圧電着火装置３とを備えたライター１において、該ライター１には発音素子１１、発音電力供給用電池１２、電波受信アンテナ１３ａ付きの誘導スイッチ１３それぞれからなる奏鳴回路部１０を備え、前記誘導スイッチ１３は、圧電着火装置３による電極５間の火花放電で発生した電波を電波受信アンテナ１３ａで受信させて奏鳴回路部１０を閉回路とすることで発音素子１１を作動させるものとしたものである。
また、奏鳴回路部１０には、前記誘導スイッチ１３に加えて当該回路自体を独自に開成または閉成させるＯＮ／ＯＦＦ切替スイッチ１４を含むものとすることができる。
【００１０】
以上のように構成された本発明に係るライターにあって、誘導スイッチ１３は、圧電着火装置３による電極５間の火花放電で発生した電波が電波受信アンテナ１３ａで受信されることで当該誘導スイッチ１３がＯＮ状態に切替えられることにより奏鳴回路部１０を閉回路とし、発音電力供給用電池１２の電力で発音素子１１にて所定のメロディを発鳴させる。
【発明の効果】
【００１１】
本発明によれば、圧電着火と同時にメロディを鳴らすことを可能にすることで、利用者に対し興味を惹かせることができる。
【００１２】
すなわちこれは本発明が、ライター１には発音素子１１、発音電力供給用電池１２、電波受信アンテナ１３ａ付きの誘導スイッチ１３それぞれからなる奏鳴回路部１０を備え、誘導スイッチ１３は、圧電着火装置３による電極５間の火花放電で発生した電波を電波受信アンテナ１３ａで受信させて奏鳴回路部１０を閉回路とすることで発音素子１１を作動させるものとしたからであり、これにより、ライター１の圧電着火と同時に当該ライター１にて所定のメロディを鳴らすことができる。
【００１３】
また、奏鳴回路部１０には、前記誘導スイッチ１３に加えて当該回路自体を独自に開成または閉成させるＯＮ／ＯＦＦ切替スイッチ１４を含むので、圧電着火装置３による着火を行わなくても、発音素子１１から自由にメロディを発鳴することができる。
【００１４】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【図面の簡単な説明】
【００１５】
【図１】本発明を実施するための最良の形態におけるライターの内部構成の一例を示す断面図である。
【図２】同じく奏鳴回路部の一例を示す回路構成図である。
【発明を実施するための形態】
【００１６】
以下、図面を参照して本発明を実施するための最良の一形態を説明する。図において示される符号１は、圧電着火式の使い捨て可能なライターであり、該ライター１は、図１に示すように、筐体その他が例えば透明なプラスチック等で成形されていて、ブタン・プロパン等よりなる液化石油ガスの燃料がガス燃料槽２内に充填されており、さらにライター１には圧電素子（図示せず）を使った圧電着火装置３が内蔵されている。
【００１７】
また、ライター１には圧電着火装置３を作動するための着火用の操作ボタン７を備え、該操作ボタン７を手指で押し下げることにより、この操作ボタン７と関連形成したレバー部８が支軸９を中心に回動し、そのレバー部８に係止させたガス放出ノズル４を引き上げて、気化ガスを放出させる。それと共に、これと同時に操作ボタン７は圧電着火装置３の圧電素子を打撃して電気的エネルギーを発生させて、前記レバー部８に係止するガス放出ノズル４と、通電線６の一方電極５との間に放電火花を発生させることで放出ガスに着火させるものとしてある。そして前記操作ボタン７から手指を離すことにより、前記レバー部８が元の位置に戻ってガス放出ノズル４は下がりガスの放出が停止されて火は消えるものとしてある。
【００１８】
また、圧電着火装置３の操作ボタン７の押し操作に連動して、周囲に所定のメロディを発鳴させることができるようにした奏鳴回路部１０が当該ライター１に内蔵されている。すなわち、この奏鳴回路部１０は、図２に示すように、種々のメロディを電子音で発音可能とした発音素子１１と、該発音素子１１を駆動させるための電力を供給する例えばボタン型の発音電力供給用電池１２と、電波受信アンテナ１３ａ付きの誘導スイッチ１３とのそれぞれを直列ループ状に接続して構成されている。
【００１９】
尚、この誘導スイッチ１３は、電波受信アンテナ１３ａによって電波が受信されることでスイッチがＯＮ状態に作動されるものであり、放電火花による電波を確実に感受できる種々のセンサースイッチが使用される。
【００２０】
そして、圧電着火装置３によるガス放出ノズル４、電極５間の火花放電によって、例えば３ｃｍ〜１０ｃｍ程度の到達範囲を有する電波が周辺に発信され、前記誘導スイッチ１３は、この電波を電波受信アンテナ１３ａで受信させて当該誘導スイッチ１３をＯＮ状態とし、奏鳴回路部１０を閉回路とすることで発音電力供給用電池１２によって発音素子１１を作動させるものとしてある。
【００２１】
このとき、誘導スイッチ１３は、例えば３０秒間から１分間等の所定の時間だけスイッチのＯＮ状態が維持され、それ以後では自動的に誘導スイッチ１３がＯＦＦ状態に作動されるようにしてある。
【００２２】
また、奏鳴回路部１０には、前記誘導スイッチ１３の電波によるＯＮ／ＯＦＦスイッチ動作とは別に、当該奏鳴回路部１０を手指の操作でもって独自に開回路または閉回路とするためのＯＮ／ＯＦＦ切替スイッチ１４を備えている。
【００２３】
次に、以上のように構成された最良の形態についての使用、動作の一例について説明する。ライター１を着火させる場合は、操作ボタン７を押し下げることで、その操作ボタン７と関連形成したレバー部８は支軸を中心に上方へ回動し、その回動によってレバー部８に係止させたガス放出ノズル４が引き上げられて気化ガスが放出される。
【００２４】
これと同時に操作ボタン７が圧電着火装置３の圧電素子を打撃して当該圧電素子により電気的エネルギーを発生させ、ガス放出ノズル４と通電線の一方電極５との間に放電火花を発生させることで放出ガスを着火する。
【００２５】
このとき、奏鳴回路部１０の誘導スイッチ１３は、圧電着火装置３による電極５間の火花放電で発生した電波を当該誘導スイッチ１３の電波受信アンテナ１３ａで受信してＯＮ状態となる。こうして奏鳴回路部１０が閉回路となり、発音電力供給用電池１２により発音素子１１が作動して、例えば３０秒間から１分間等の所定の時間だけ発音素子１１からメロディが発鳴されるのである。
【００２６】
そして火を消す場合は、前記操作ボタン７から手指を離すことにより、レバー部８が復帰回動してガス放出ノズル４が下がり、ガスの放出が停止されて火は消える。
【００２７】
また、圧電着火装置３による着火を行わなくてもＯＮ／ＯＦＦ切替スイッチ１４をＯＮに切り替えれば、所定の時間だけ発音素子１１からメロディが発鳴される。
【符号の説明】
【００２８】
１…ライター                            ２…ガス燃料槽
３…圧電着火装置                        ４…ガス放出ノズル
５…電極                                ６…通電線
７…操作ボタン                          ８…レバー部
９…支軸                                １０…奏鳴回路部
１１…発音素子                          １２…発音電力供給用電池
１３…誘導スイッチ                      １３ａ…電波受信アンテナ
１４…ＯＮ／ＯＦＦ切替スイッチ
【図１】
2010164304.tif 000003
【図２】
2010164304.tif 000004